(57)【特許請求の範囲】
【請求項１】
くるみ綴じ製本された冊子の用紙がページ順となるように前記ページの画像が前記用紙に形成される順を規定する画像リストに従って、前記用紙に前記画像を形成する画像形成部と、
前記画像形成部によって前記画像が形成された前記用紙のいずれかの面に１枚毎に所定方向から筋付け部により付けられる筋に沿って折り部が中折りした前記用紙を本身スタック部が収容し、背表紙側に糊付けされた前記用紙の用紙束を製本部がくるみ表紙によりくるみ綴じ製本する場合に、本身の前記画像が形成される前記用紙として指定されたサイズの２倍のサイズの前記用紙に対して、前記用紙に付けられた筋が中折り外面となるように、前記用紙に前記ページの前記画像の無線綴じ面付けを行う前記画像リストを作成する制御部と、を備える
画像形成装置。
【請求項２】
前記制御部は、前記筋付け部が筋付けする前記筋の位置を、前記くるみ表紙の背表紙側の面に対応する箇所とするように、前記画像形成部が前記用紙に前記画像を形成する順番を入れ替える
請求項１に記載の画像形成装置。
【請求項３】
前記制御部は、前記筋付け部が前記筋を付けることができず、又は前記折り部が中折りすることができない前記用紙に前記画像形成部が前記画像を形成する場合には、本身の前記画像が形成される前記用紙として指定されたサイズと同じサイズの前記用紙に前記画像の単面付けを行う前記画像リストを作成し、前記画像が前記単面付けにより形成された前記用紙を、前記筋付け部及び前記折り部による処理を行うことなく前記本身スタック部に搬送する
請求項１又は２のいずれか１項に記載の画像形成装置。
【請求項４】
前記制御部は、前記画像形成部が前記用紙の片面だけに本身の前記画像を形成する片面プリント指定がされているページの次ページにも前記片面プリント指定がされている場合は、本身の前記画像に白画像を付加して前記無線綴じ面付けを行う前記画像リストを作成し、
前記次ページに前記画像形成部が前記用紙の両面に本身の前記画像を形成する両面プリント指定がされている場合は、本身の前記画像が形成される前記用紙として指定されたサイズの前記用紙を選択し、前記用紙の両面に本身の前記画像の前記単面付けを行う前記画像リストを作成する
請求項３に記載の画像形成装置。
【請求項５】
さらに、本身の前記画像が形成された前記用紙を挿入する用紙挿入部を備え、
前記制御部は、前記用紙挿入部から挿入された前記用紙に単面付けされた本身の前記画像が形成されている場合に、前記筋付け部及び前記折り部による処理を行わせることなく前記用紙を前記本身スタック部に搬送し、
前記用紙挿入部から挿入された前記用紙に無線綴じ面付けされた本身の前記画像が形成されている場合に、前記筋付け部及び前記折り部による処理を行わせた後、前記用紙を前記本身スタック部に搬送する
請求項３又は４のいずれか１項に記載の画像形成装置。
【請求項６】
前記制御部は、前記画像形成部が前記くるみ表紙に前記画像を形成する場合に、前記くるみ表紙に形成される前記画像を除いた残りの前記画像を前記用紙に前記無線綴じ面付けを行い、余分のページには前記白画像を付加して前記無線綴じ面付けを行う前記画像リストを作成する
請求項１〜５のいずれか１項に記載の画像形成装置。
【請求項７】
画像形成装置が備える画像形成部が、くるみ綴じ製本された冊子の用紙がページ順となるように前記ページの画像が前記用紙に形成される順を規定する画像リストに従って、前記用紙に前記画像を形成する手順と、
制御部が、前記画像形成部によって前記画像が形成された前記用紙の１枚毎に所定方向から筋付け部により付けられる筋に沿って折り部が中折りした前記用紙を本身スタック部が収容し、背表紙側に糊付けされた前記用紙の用紙束を製本部がくるみ表紙によりくるみ綴じ製本する場合に、本身の前記画像が形成される前記用紙として指定されたサイズの２倍のサイズの前記用紙に対して、前記用紙に付けられた筋が中折り外面となるように、前記用紙に前記ページの前記画像の無線綴じ面付けを行う前記画像リストを作成する前記画像リストを作成する手順と、を
コンピュータに実行させるためのプログラム。
【発明の詳細な説明】
【技術分野】
【０００１】
本発明は、例えば、くるみ綴じ製本を行う場合に適用される画像形成装置及びプログラムに関する。
【背景技術】
【０００２】
画像形成装置に各種の用紙処理装置を接続した画像形成システムが構成される。例えば、丁合の完了した本身の用紙束の背に、所定厚の糊を塗布した上でくるみ表紙を貼り付けることで、くるみ綴じ製本の処理が可能である。くるみ綴じ製本の際には、裏表紙・背表紙・表（おもて）表紙が一体になった用紙がくるみ表紙として用いられ、背表紙の角となる部分には、クリーサー（creaser）と呼ばれる筋付け装置を用いてくるみ表紙に筋が付けられている。
【０００３】
くるみ綴じ製本については、以下の特許文献に記載された技術が知られている。
特許文献１には、表紙において用紙束が接着される領域の端部に筋を着け、この筋に沿って表紙を折り曲げ、用紙束を表紙で覆うように製本する技術が開示されている。
【０００４】
特許文献２には、ドクターブレードの先端側を中央が突出するようにして湾曲状に形成し、用紙束の中央部に付着される糊の量を少なくすることで、用紙束の背に均一に糊を塗布することを可能とする技術が開示されている。
【先行技術文献】
【特許文献】
【０００５】
【特許文献１】特開２０１５−３４３６号公報
【特許文献２】特開２０１４−１２４８３６号公報
【発明の概要】
【発明が解決しようとする課題】
【０００６】
ところで、本身の用紙束の背に糊を塗布してくるみ表紙を貼り付けたとしても、大量の用紙を用いてくるみ綴じ製本を行った際には、用紙束の背に塗布された糊が薄くなったり、糊が途切れたりすることがある。この場合、くるみ表紙から本身の用紙束の一部が剥がれ落ちることがあった。
【０００７】
また、特許文献１及び２に開示された技術を用いてくるみ綴じ製本を行ったとしても、用紙束の背に糊が浸透しにくく、やはりくるみ綴じ製本された用紙束から用紙が剥がれ落ちる可能性が依然として残っていた。
【０００８】
本発明はこのような状況に鑑みて成されたものであり、くるみ綴じ製本された用紙束からの用紙の剥がれ落ちを防ぐことを目的とする。
【課題を解決するための手段】
【０００９】
本発明は、画像形成部と、制御部とを備える画像形成装置によって実現される。
画像形成部は、くるみ綴じ製本された冊子の用紙がページ順となるようにページの画像が用紙に形成される順を規定し、用紙に複数のページの画像を面付ける画像リストに従って、用紙に画像を形成する。
制御部は、画像形成部によって画像が形成された用紙の１枚毎に所定方向から筋付け部により付けられる筋に沿って折り部が中折りした用紙を本身スタック部が収容し、背表紙側に糊付けされた用紙の用紙束を製本部がくるみ表紙によりくるみ綴じ製本する場合に、本身の画像が形成される用紙として指定されたサイズの２倍のサイズの用紙に対して、用紙に付けられた筋が中折り外面となるように、用紙にページの画像の無線綴じ面付けを行う画像リストを作成する。
【発明の効果】
【００１０】
本発明によれば、用紙に付けられた筋が中折り外面となるように用紙が中折りされるため、用紙に付けられた筋に糊が浸透しやすくなる。そして、用紙束の各用紙がくるみ表紙の内側に強固に糊付けされることにより、用紙の剥がれ落ちを防ぐことが可能となる。
上記した以外の課題、構成及び効果は、以下の実施の形態例の説明により明らかにされる。
【図面の簡単な説明】
【００１１】
【図１】本発明の一実施の形態例に係る画像形成システムの構成例を示すブロック図である。
【図２】本発明の一実施の形態例に係る画像形成装置の中央断面図である。
【図３】本発明の一実施の形態例に係る画像形成システムの機能的構成例を示すブロック図である。
【図４】本発明の一実施の形態例に係る感光体ドラムによって本身の２倍のサイズの用紙に転写される画像の例を示す説明図である。
【図５】本発明の一実施の形態例に係る感光体ドラムによって本身と同じサイズの用紙に転写される画像の例を示す説明図である。
【図６】本発明の一実施の形態例に係る筋付け方向、ドラム下画像の対応例を示す説明図である。
【図７】本発明の一実施の形態例に係る筋付けされた用紙、中折りされた用紙、くるみ綴じ製本された冊子の例を示す説明図である。
【図８】本発明の一実施の形態例に係る画像形成システムの動作例を示すフローチャートである。
【図９】図８のステップＳ５における無線綴じ面付けの処理例を示すフローチャートである。
【図１０】本発明の一実施の形態例に係る通常の用紙と、禁則対象である用紙とに対して面付けされる画像の面付けレイアウトの例を示す説明図である。
【図１１】本発明の一実施の形態例に係る片面プリント指定を含む用紙に面付けされる画像の面付けレイアウトの例を示す説明図である。
【図１２】本発明の一実施の形態例に係るくるみ表紙を含む用紙に面付けされる画像の面付けレイアウトの例を示す説明図である。
【発明を実施するための形態】
【００１２】
以下、本発明の一実施の形態例に係る画像形成装置について、添付図面を参照して説明する。本明細書及び図面において、実質的に同一の機能又は構成を有する構成要素については、同一の符号を付することにより重複する説明を省略する。
【００１３】
図１は、画像形成システム１の概略構成例を示す。
【００１４】
画像形成システム１は、画像形成装置１０の前段側に大量の用紙を給紙する大容量給紙ユニット４０が接続され、画像形成装置１０の後段側に中継装置２０と、後処理装置３０とが連なって接続されている。画像形成システム１では、各装置間で用紙の搬送が可能になっているとともに、互いに通信可能になっている。本実施の形態例では、中継装置２０、後処理装置３０はインライン処理を行う。なお、中継装置２０、後処理装置３０は、画像形成装置１０に内蔵されているものであってもよい。
なお、本発明としては画像形成装置の接続構成がこれに限定されるものではなく、画像形成装置のみで画像形成システムが構成されているものであってもよい。
【００１５】
画像形成装置１０は、上部側に自動原稿給送装置（ＡＤＦ：Auto Document Feeder）１３５が設けられており、自動原稿給送装置１３５で給送される原稿はスキャナ部１３０で画像読取が可能になっている。なお、原稿は、プラテンガラス１３７（後述する図２を参照）上で読み込むこともできる。
【００１６】
また、画像形成装置１０又は中継装置２０の上部側で、プラテンガラスが位置しない箇所に、操作部１４０のＬＣＤ１４１が設置されている。ＬＣＤ１４１はタッチパネルで構成されており、操作者による操作及び情報の表示が可能になっている。ＬＣＤ１４１は、操作部と表示部を兼用している。なお、操作部をマウスやタブレット等で構成し、表示部とは別体で構成することも可能である。また、ＬＣＤ１４１は移動可能となっているものであってもよい。
【００１７】
画像形成装置１０の下部側には、複数の給紙トレイ１２（図では３段）が配置されている。画像形成装置１０には、いずれかの給紙トレイ１２から給紙される用紙を搬送する搬送路１３が設けられており、搬送路１３の途中に、プリンタ部１５０が設けられている。プリンタ部１５０は、画像形成部１５１、給紙トレイ１２、搬送路１３、反転搬送路１６、反転部１７等によって構成されている。感光体ドラム１５４の下流側の搬送路１３には定着器１５７が配置されている。
【００１８】
定着器１５７の下流側で、搬送路１３が伸長して中継装置２０の搬送路２２に接続されている。また、搬送路１３には、定着器１５７の下流側で分岐して、プリンタ部１５０の上流側の搬送路１３に合流する反転搬送路１６が接続されている。反転搬送路１６には、用紙を反転させる反転部１７が設けられている。反転部１７で反転された用紙は、反転搬送路１６を通してプリンタ部１５０の上流側で搬送路１３に返すことができ、また、経路の切り替えによって反転した用紙を定着器１５７の下流側の搬送路１３に戻してそのまま中継装置２０に搬送することもできる。
【００１９】
画像形成部１５１が用紙に画像を形成する処理は後述する。プリンタ部１５０によって画像が形成された用紙は、定着器１５７に搬送される。定着器１５７は、搬送された用紙を加熱することにより用紙の表面側に転写されたトナー画像を出力画像として定着する。定着処理が施された用紙は、搬送路１３によって中継装置２０に搬送されるか、反転搬送路１６を通して反転部１７により表裏が反転された後、プリンタ部１５０の上流側で搬送路１３に返される。表裏反転された用紙は、プリンタ部１５０によって裏面への画像形成が行われる。
【００２０】
中継装置２０は、ＰＩ（Post Inserter）部２１と、搬送路２２を備える。
ＰＩ部２１は、他の画像形成装置１０によって画像が形成された用紙（例えば、くるみ表紙、本身の用紙）を搬送路２２に挿入するものであり、用紙挿入部の一例として用いられる。
搬送路２２は、搬送路１３と、後段の後処理装置３０の搬送路３１に接続される。搬送路２２は、以下に示すように搬送路２２ａ〜２２ｆを総称したものである。また、中継装置２０は、筋付け部２３、折り前反転部２４、折り部２５、搬送前反転部２６を有している。
【００２１】
ＰＩ部２１から挿入された用紙（主にくるみ表紙）を反転する必要がない場合、又は用紙に筋付けする必要がない場合には、この用紙は、筋付け部２３、折り部２５を経ることなく、搬送路２２ａ、２２ｂにより後処理装置３０に搬送される。しかし、ＰＩ部２１から挿入された用紙を反転する場合には、搬送路２２ａから搬送された用紙が折り前反転部２４によって反転された後、搬送路２２ｆを通じて後処理装置３０に搬送される。
【００２２】
筋付け部２３は、搬送路２２ｂに設けられており、画像形成部１５１によって画像が形成された用紙のいずれかの面に１枚毎に所定方向から筋を付けることができる。この筋付け部２３は、第１筋付け部２３ａ、第２筋付け部２３ｂを備えており、クリーサーとも呼ばれる。筋付け部２３は、無線綴じ画像が形成された用紙、又はくるみ表紙の折り目となる位置に右方向又は左方向のいずれか一方から筋付けを行う。
【００２３】
ここで、第１筋付け部２３ａは、不図示の筋付けナイフが凹部を有する筋付け台を有する。搬送路２２によって所定位置まで搬送された用紙が一時停止した後、筋付けナイフが筋付け台に向かって伸長することにより、筋付けナイフと筋付け台の凹部にとの間に挟持された用紙に対して、図の奥行きから手前方向に向かって筋が形成される。この筋は、用紙の左面に対して垂直に左から右方向に筋付けされたものである。この筋付け処理では、用紙全体としては平面状態を保っており、用紙には、断面形状が略半円形の筋が形成される。
第２筋付け部２３ｂは、第１筋付け部２３ａと同様の機構を有しており、用紙の右面に対して垂直に右から左方向に筋付けを行う。第２筋付け部２３ｂにおいても、平面上の用紙に、断面形状が略半円形の筋を形成することができる。
【００２４】
このように筋付け部２３を通過した用紙には、第１筋付け部２３ａ又は第２筋付け部２３ｂのいずれかにより左右いずれかの方向に筋付けが行われる。そして、筋付け部２３は、用紙上の所望の位置に１本又は複数本の筋を付すことができる。筋付けされた用紙は、折り前反転部２４に搬送される。以下の説明では、筋付けがされた用紙の一面を「筋付け面」と呼ぶ。
【００２５】
折り前反転部２４は、筋付け面に応じて用紙を反転する。例えば、折り前反転部２４は、搬送路２２ｃ、２２ｄの順に用紙を搬送することで用紙を反転して、反転した用紙を折り部２５に搬送する。用紙を反転する必要がなければ、折り前反転部２４は、筋付け部２３から搬送された用紙を反転することなく、搬送路２２ｄから折り部２５に搬送する。
【００２６】
折り部２５は、筋付け面を外側にして、筋付け部２３ｂによって付された筋に沿って用紙を中折りする。中折りされた用紙は、搬送路２２ｅにて搬送される。折り部２５が用紙を中折りする方向は一方向であり、筋付け面を内側にして用紙を中折りしない。中折りが必要な用紙は、筋付け面を外側にして折り部２５により中折りされるためには、折り前反転部２４による反転処理が必要となる。また、筋付け面を外側にして中折りされるようにするため、プリンタ部１５０によって用紙に形成される画像のプリント順が後述するくるみ綴じ画像リスト（画像リストの一例）によって規定される。なお、折り部２５による中折りが不要であれば、筋付けされた用紙は搬送路２２ｄから搬送路２２ｆを経て搬送路２２ｂに搬送される。
【００２７】
搬送前反転部２６は、後処理装置３０に設けられた本身スタック部３２に収容される本身の用紙の向きに応じて後処理装置３０に搬送される中折りされた用紙を反転する。なお、用紙がくるみ表紙であって、既に折り前反転部２４により反転された場合には、搬送前反転部２６によって反転されることなく、後処理装置３０に用紙が搬送される。
【００２８】
後処理装置３０は、搬送路２２に接続される搬送路３１、後処理としてくるみ綴じ製本を行う後処理部を備える。この後処理部は、本身スタック部３２、くるみ綴じ製本部３３、排出部３４を備える。搬送路３１は、本身の用紙を本身スタック部３２に搬送する搬送路３１ａ、くるみ表紙をくるみ綴じ製本部３３に搬送する搬送路３１ｂを総称したものである。
【００２９】
本身スタック部３２は、くるみ綴じ製本部３３によって製本される冊子５０の一部毎に、搬送路３１ａから搬送された本身の用紙を収容する。この本身スタック部３２は、くるみ表紙の背表紙領域に糊付けされる部分が下向きになるように本身の用紙を収容するが、この部分が上向きになるように本身の用紙を収容することもできる。この場合には、搬送前反転部２６による本身の用紙の反転が必要となる。そして、本身スタック部３２は、収容した本身の用紙束をくるみ綴じ製本部３３に供給する。
【００３０】
くるみ綴じ製本部３３は、搬送路３１ｂに搬送されたくるみ表紙を用紙束の厚みに基づく背表紙幅で付けられた２つの筋に沿って折り曲げる。そして、くるみ綴じ製本部３３は、背表紙側に糊付けされた本身の用紙の用紙束をくるみ表紙がくるんでくるみ綴じ製本する。
排出部３４は、くるみ綴じ製本された冊子５０を後処理装置３０の外部に排出する。
【００３１】
なお、後処理実行の設定がなされていない場合には、後処理装置３０は後処理を行うことなく用紙を排出部３４から排出する。また、後処理装置３０は、くるみ綴じ製本の他、パンチ、中綴じステイプル等の所定の後処理を行う機構を備えてもよい。
【００３２】
図２は、画像形成装置１０の中央断面図である。
【００３３】
画像形成装置１０では、その上部側に、ＣＣＤ１３１（図３を参照）を含むスキャナ部１３０、自動原稿給送装置１３５が設けられており、プラテンガラス１３７又はＡＤＦ原稿読み取り用スリットガラス１３８を通して原稿の画像読取が可能になっている。
スキャナ部１３０、自動原稿給送装置１３５、プラテンガラス１３７、ＡＤＦ原稿読み取り用スリットガラス１３８等により、画像読込部が構成されている。
【００３４】
画像形成装置１０内には、いずれかの給紙トレイ１２から給紙される用紙を搬送する搬送路１３、給紙ローラー１４６等が設けられている。画像形成装置１０内の搬送路１３の途中には、帯電器１５２、ＬＤ１５３、感光体ドラム１５４、現像器１５５、転写部１５６、定着器１５７等で構成される画像形成部１５１が設けられている。また、大容量給紙ユニット４０には給紙した用紙を搬送して画像形成装置１０内に導入する搬送路（不図示）が設けられている。
【００３５】
画像形成部１５１において、帯電器１５２、現像器１５５、転写部１５６は、感光体ドラム１５４の周囲に配置されている。帯電器１５２は、画像書込み前に感光体ドラム１５４の表面を一様に帯電する。ＬＤ１５３は、表面が一様に帯電された感光体ドラム１５４に半導体レーザを照射することにより感光体ドラム１５４に静電潜像を形成する。現像器１５５は、ＬＤ１５３によって感光体ドラム１５４に形成された静電潜像をトナー部材によって現像する。この現像処理によって感光体ドラム１５４にトナー画像が形成される。転写部１５６は、給紙トレイ１２や大容量給紙ユニット４０から搬送されてきた用紙に感光体ドラム１５４のトナー画像を転写する。トナー画像が転写された用紙は、感光体ドラム１５４から分離されて定着器１５７に搬送される。感光体ドラム１５４に残留したトナー部材は、クリーニング部によって除去される。
【００３６】
定着器１５７は、搬送された用紙を加熱することにより用紙の表面側に転写されたトナー画像を定着する。定着処理が施された用紙は、片面印刷の場合には画像形成装置１０の側方に位置する中継装置２０にそのまま搬送される。両面印刷の場合には、定着後の用紙がスイッチバックされて当該用紙の裏面側に画像形成部１５１で所定の画像が転写される。そして、両面に画像が形成された用紙は定着後に中継装置２０に搬送される。
【００３７】
画像形成システム１は、画像形成装置１０と、中継装置２０と、後処理装置３０と、大容量給紙ユニット４０と、で構成されているが、本発明としては画像形成システムを構成する装置は、画像形成装置の他にはその数や種別が特に限定されるものではなく、複数の後処理装置を備えるものであってもよく、その他に、スタック装置等の各種の外部装置を接続することができる。
【００３８】
次に、画像形成システム１の機能的構成について説明する。
図３は、画像形成システム１の機能的構成例を示すブロック図である。
【００３９】
画像形成装置１０は、本体制御部１００と、スキャナ部１３０と、操作部１４０と、プリンタ部１５０とを備える。さらに、画像形成装置１０は、ＬＡＮ２を通して端末ＰＣ等の外部機器６０から入力される画像データを処理し、又はスキャナ部１３０で得た画像データを、ＬＡＮ２を通して外部機器６０に転送可能にするプリントコントローラ１６０を備えている。
【００４０】
本体制御部１００は、プリントコントローラ１６０に接続されたＰＣＩバス１１４を有しており、ＰＣＩバス１１４にＤＲＡＭ制御ＩＣ１１５が接続されている。ＤＲＡＭ制御ＩＣ１１５には、画像メモリ１２０が接続されている。画像メモリ１２０として、例えば、ＤＲＡＭ（Dynamic Random Access Memory）が用いられる。画像メモリ１２０は、圧縮画像データを格納するための圧縮メモリ１２１と、画像形成前にプリント対象の非圧縮画像データを一時的に格納するための伸長メモリ１２２とを有している。
【００４１】
また、ＰＣＩバス１１４には、ＨＤＤ（Hard Disk Drive）１２３が接続されており、ＨＤＤ１２３には、スキャナ部１３０が取得した画像データやプリントコントローラ１６０に接続された外部機器６０等により生成された画像データ等が保存される。
プリントコントローラ１６０で取得される画像データやＨＤＤ１２３に格納された画像データは、プリント動作に伴ってＰＣＩバス１１４を通してＤＲＡＭ制御ＩＣ１１５へと送信される。
【００４２】
また、本体制御部１００は、制御ＣＰＵ１１０を備えている。制御ＣＰＵ１１０には、ＤＲＡＭ制御ＩＣ１１５が接続されている。
また、制御ＣＰＵ１１０には、ＲＯＭ（Read Only Memory）で構成され、制御ＣＰＵ１１０を動作させるためのプログラム等が格納されたプログラムメモリ１１１、ＲＡＭ（Random Access Memory）で構成され、ワークエリア等として使用されるシステムメモリ１１２、フラッシュメモリ等により構成される不揮発メモリ１１３が接続されている。不揮発メモリ１１３には、画像形成装置１０の初期印刷設定情報や、プロセス制御パラメータ等の機械設定情報、出力設定の初期データ、後処理設定、後処理禁則の設定、オフライン作業の追加で所定の後処理出力物が得られる設定等が読み出し可能に格納されている。
なお、後処理禁則とは、所望の出力物を得るための機能をインラインの中継装置２０、後処理装置３０が有しているが、他機能や設定等との組み合わせによってその機能が使用できない状態をいう。
【００４３】
制御ＣＰＵ１１０は、不揮発メモリ１１３の不揮発データを読み取り可能であり、また、所望のデータを不揮発メモリ１１３に書き込むことが可能である。
制御ＣＰＵ１１０は、プログラムメモリ１１１に格納されたプログラムにより動作し、不揮発メモリ１１３から読み出した機械設定情報や印刷設定情報、出力設定等に従って画像形成装置１０の各部を動作制御する。
制御ＣＰＵ１１０は、プログラムメモリ１１１、システムメモリ１１２、不揮発メモリ１１３等とともに制御部を構成し、ジョブの実行、ジョブの中止等を制御することができる。
制御ＣＰＵ１１０は、ジョブの出力設定や操作指示等を、操作部１４０を通して行うことができる。
また、制御ＣＰＵ１１０は、中継装置２０にて中折りされ、後処理装置３０にて用紙を無線綴じした冊子５０を得るため、見開きでページが連続するように各ページの画像を用紙の所定位置に割り付けたくるみ綴じ画像リストを作成する。くるみ綴じ画像リストとは、後処理装置３０によってくるみ綴じ製本された冊子５０の用紙がページ順となるようにページの画像が用紙に形成されるプリント順を規定したものである。そして、制御ＣＰＵ１１０は、本身の画像が形成される用紙として指定されたサイズの２倍のサイズの用紙に対して、用紙に付けられた筋が中折り外面となるように、用紙にページの画像の無線綴じ面付けを行うくるみ綴じ画像リストを作成する。画像形成部１５１は、くるみ綴じ画像リストに従って、用紙に画像を形成する。面付けとは、１枚の用紙に複数ページの画像を配置して画像形成を行う手法である。制御ＣＰＵ１１０が画像を面付けする処理の詳細は後述する。
【００４４】
スキャナ部１３０は、光学読み取りを行うＣＣＤ１３１と、スキャナ部１３０全体の制御を行うスキャナ制御部１３２とを備えている。スキャナ制御部１３２は、制御ＣＰＵ１１０とシリアル通信可能に接続されている。また、ＣＣＤ１３１は、ＣＣＤ１３１で読み取った画像データを処理する読み取り処理部１１６に接続され、読み取り処理部１１６は、ＤＲＡＭ制御ＩＣ１１５に制御可能に接続されている。
【００４５】
読み取り処理部１１６は、ＣＣＤ１３１から入力されたアナログ画像信号に、アナログ信号処理、Ａ／Ｄ（Analog to Digital）変換処理、シェーディング処理等の各種処理を施し、デジタル画像データを生成して、圧縮・伸長ＩＣ１２４に出力する。
また、制御ＣＰＵ１１０には、ＡＤＦ制御部１３６が制御可能に接続されており、ＡＤＦ制御部１３６によって自動原稿給送装置１３５が制御される。
スキャナ部１３０は、画像形成装置１０のプラテンガラス１３７に置かれた原稿や、自動原稿給送装置１３５で自動搬送される原稿の画像を読み取る。
【００４６】
操作部１４０は、ＬＣＤ１４１と、操作部全体を制御する操作部制御部１４２とを備えており、操作部制御部１４２は制御ＣＰＵ１１０にシリアル通信可能に接続されている。
操作部１４０では、制御ＣＰＵ１１０の制御を受けて、ＬＣＤ１４１によって、画像形成装置１０における出力条件設定や動作制御条件等の機械設定入力、各給紙トレイの用紙情報（サイズ、紙種）の設定入力、オフライン作業の追加で所定の後処理出力物が得られる設定や、設定内容の表示、メッセージ等の所望の情報等の表示等が可能になっている。
【００４７】
ＤＲＡＭ制御ＩＣ１１５には、画像データを圧縮又は伸長することができる圧縮・伸長ＩＣ１２４が接続されている。ＤＲＡＭ制御ＩＣ１１５は、制御ＣＰＵ１１０からの指示に従って、圧縮・伸長ＩＣ１２４による画像データの圧縮処理及び圧縮画像データの伸長処理を制御するとともに、画像メモリ１２０への画像データの入出力制御を行う。制御ＣＰＵ１１０は、面付け処理を行った画像データをくるみ綴じ画像リストとして作成し、くるみ綴じ画像リストを画像メモリ１２０に記憶することができる。
書込み処理部１２５は、ＬＤ１５３等を備える画像形成部１５１に接続され、画像データに基づいてＬＤ１５３の動作に用いられる書き込みデータを生成する。
【００４８】
プリンタ部１５０は、プリンタ部１５０の全体動作（給紙、画像形成等）を制御するプリンタ制御部１５８を備えており、プリンタ制御部１５８は制御ＣＰＵ１１０にシリアル通信可能に接続されている。プリンタ制御部１５８は制御ＣＰＵ１１０の制御指令に従って動作して、プリンタ部１５０を制御し、用紙搬送、画像形成等を行う。また、プリンタ制御部１５８は、圧縮・伸長ＩＣ１２４に圧縮画像データの伸長を指示することができる。
【００４９】
また、プリンタ制御部１５８には、中継装置２０における各部の処理を制御する中継処理制御部１７１が制御可能に接続されている。プリンタ制御部１５８は、制御ＣＰＵ１１０の指令に基づいて中継処理制御部１７１に中継処理の指示を行うことができ、また、中継処理制御部１７１から中継装置２０における状態情報を取得することができる。
【００５０】
また、プリンタ制御部１５８には、後処理装置３０における各部の処理を制御する後処理制御部１８１が制御可能に接続されている。プリンタ制御部１５８は、制御ＣＰＵ１１０の指令に基づいて後処理制御部１８１に後処理の指示を行うことができ、また、後処理制御部１８１から後処理装置３０における状態情報を取得することができる。
【００５１】
また、ＤＲＡＭ制御ＩＣ１１５が接続されたＰＣＩバス１１４には、プリントコントローラ１６０のＤＲＡＭ制御ＩＣ１６１が接続されている。プリントコントローラ１６０は、画像形成装置１０をネットワークプリンタやネットワークスキャナとして使用する場合に、ＬＡＮ２に接続される外部機器６０等から画像データ等を画像形成装置１０で受信したり、スキャナ部１３０で取得した画像データをＬＡＮ２に接続される端末ＰＣ等の外部機器６０等に送信したりするものである。
【００５２】
プリントコントローラ１６０では、ＤＲＡＭ制御ＩＣ１６１に、ＤＲＡＭ等で構成される画像メモリ１６２が接続されている。また、プリントコントローラ１６０では、共通バスにＤＲＡＭ制御ＩＣ１６１と、プリントコントローラ１６０全体の制御を行うコントローラ制御ＣＰＵ１６３、ＬＡＮインターフェース１６５が接続されている。ＬＡＮインターフェース１６５は、ＬＡＮ２に接続されている。
【００５３】
さらに、制御ＣＰＵ１１０には、ＩＯ部１１８が接続されている。ＩＯ部１１８は、画像形成装置１０内の各部と制御ＣＰＵ１１０との間で情報の授受を行うインターフェースとして動作する。
【００５４】
外部機器６０は、表示を行う端末表示部６１と、操作の受け付けが行われる端末操作部６２とを有している。端末表示部６１は、本発明における表示部として機能し、端末操作部６２は、本発明における操作部として機能することができる。
外部機器６０は、ＶＮＣクライアント等を介して端末操作部６２上で、画像形成装置１０に関する操作の入力が可能になっているものでもよく、また、端末表示部６１で画像形成装置に関する表示を行えるものであってもよい。端末操作部６２と端末表示部６１とは、例えばタッチパネルで構成することができるが、これに限定されるものではなく、ＬＣＤやマウス等の操作部とディスプレイ等の表示部とが別に構成されているものであってもよい。
【００５５】
次に、画像形成装置１０の基本的動作について説明する。
先ず、画像形成装置１０において画像データを蓄積する手順について説明する。
スキャナ部１３０は、ＣＣＤ１３１により原稿から画像を光学的に読み取って画像データを生成する。この際には、制御ＣＰＵ１１０から指令を受けるスキャナ制御部１３２によってＣＣＤ１３１の動作制御を行う。原稿の読み取りは、自動原稿給送装置１３５によって原稿を自動給送しつつ行ってもよく、また、プラテンガラス１３７上に原稿を置いて行ってもよい。
【００５６】
制御ＣＰＵ１１０はプログラムによって動作し、操作部１４０による操作（読み取り指示やコピー指示）に基づいてスキャナ部１３０への指令を発行する。ＣＣＤ１３１で読み取られた画像は、読み取り処理部１１６でデータ処理がなされ、データ処理された画像データは、ＤＲＡＭ制御ＩＣ１１５を介して圧縮・伸長ＩＣ１２４に送られて所定の方法によって圧縮される。圧縮されたデータは、ＤＲＡＭ制御ＩＣ１１５を介して画像メモリ１２０に格納される。ＨＤＤ１２３に格納する場合は、圧縮メモリ１２１に一旦格納したデータを、ＤＲＡＭ制御ＩＣ１１５を介してＨＤＤ１２３に送る。
【００５７】
この他に画像データは、ＬＡＮ２を介して画像形成装置１０に入力されることもある。画像データとしては、例えば外部機器６０等のアプリケーションプログラム等により生成されたプリントファイルを展開したプリントデータ等が挙げられる。画像データの生成方法は特に限定されるものではない。
【００５８】
この画像データは、ＬＡＮ２、ＬＡＮインターフェース１６５を介してプリントコントローラ１６０で受信され、コントローラ制御ＣＰＵ１６３で展開されたプリントデータがＤＲＡＭ制御ＩＣ１６１によって画像メモリ１６２に一旦格納される。画像メモリ１６２に格納されたデータは、ＰＣＩバス１１４を介してＤＲＡＭ制御ＩＣ１１５に転送され、伸長メモリ１２２に一旦格納される。伸長メモリ１２２に格納されたデータは、ＤＲＡＭ制御ＩＣ１１５を介して圧縮・伸長ＩＣ１２４に送られて圧縮処理され、ＤＲＡＭ制御ＩＣ１１５を介して圧縮メモリ１２１に格納される。ＨＤＤ１２３に格納する場合は、圧縮メモリ１２１に一旦格納したデータを、ＤＲＡＭ制御ＩＣ１１５を介してＨＤＤ１２３に送る。
【００５９】
画像データの蓄積に際しては、画像データの蓄積前又は蓄積後に出力設定がなされる。この出力設定は、操作部１４０に設定画面を表示して、操作者による操作入力によって行うことができる。また、初期設定において出力設定項目が選択されており、操作者による設定入力がなされない場合にも初期設定によって出力設定がなされる。また、操作者は、設定画面により後処理設定を行うことができる。
【００６０】
画像形成装置１０で画像出力を行う場合、すなわち複写機やプリンタとして使用する場合、圧縮メモリ１２１に格納された画像データを、ＤＲＡＭ制御ＩＣ１１５を介して圧縮・伸長ＩＣ１２４に送出してデータを伸長し、伸長したデータを書込み処理部１２５に送出し、帯電部で帯電した感光体ドラム１５４へＬＤ１５３によって書き込みを行う。なお、ＨＤＤ１２３に格納された画像データを用いる場合は、ＨＤＤ１２３に格納された画像データを、ＤＲＡＭ制御ＩＣ１１５を介して一旦、圧縮メモリ１２１に格納し、圧縮メモリ１２１に格納された画像データを、ＤＲＡＭ制御ＩＣ１１５を介して圧縮・伸長ＩＣ１２４に送出してデータを伸長し、伸長したデータを上記と同様に書込み処理部１２５に送出する。
【００６１】
プリンタ部１５０では、制御ＣＰＵ１１０の指令を受けたプリンタ制御部１５８によって各部の制御が行われる。画像形成部１５１では感光体ドラム１５４に書き込まれた潜像が現像器１５５（図２）でトナー像として現像され、トナー像が転写部１５６（図２）で搬送路１３によって供給される用紙に転写され、定着器１５７で定着がなされる。感光体ドラム１５４では、トナー像が用紙転写された後、図示しないクリーニング部によって残留トナーが除去される。このようにプリンタ制御部１５８の制御により、画像形成部１５１が用紙に画像を形成することを「プリントする。」とも呼ぶ。
なお、本実施の形態例では、モノクロの画像形成を前提にして説明したが、各色（例えば、シアン、マゼンタ、イエロー、ブラック）毎に感光体等を備える画像形成装置としたものであってもよい。
【００６２】
画像形成がなされた用紙は、搬送路１３、２２を経て後処理装置３０に送られて、後処理設定に従って後処理装置３０で所定の後処理が行われる。また、後処理が行われない場合、そのまま後処理装置３０から用紙が排出される。
【００６３】
次に、感光体ドラム１５４によって用紙に転写される画像の例について、図４と図５を参照して説明する。図４と図５にて説明する画像は、後述する図１０に示すくるみ綴じ画像リストの一部である。
【００６４】
図４は、感光体ドラム１５４によって本身の２倍のサイズの用紙に転写される画像の例を示す説明図である。ここで、本身がプリントされる用紙として指定されるサイズの２倍のサイズの用紙のことを「本身の２倍のサイズの用紙」と呼ぶ。
【００６５】
図４Ａに示すように用紙の第１面に感光体ドラム１５４に形成されたトナー画像（「ドラム下画像」と呼ぶ。）が転写される。用紙の第１面には、後述する図１０Ａに示すように４ページ目、１ページ目の順でトナー画像が転写されている。用紙の第１面に転写された画像が定着器１５７によって用紙に定着された後、用紙が反転される。
【００６６】
図４Ｂに示すように反転された用紙の第２面に感光体ドラム１５４に形成されたトナー画像が転写される。用紙の第２面には、２ページ目、３ページ目の順でトナー画像が転写されている。この用紙の下面には、図４Ａに示した４ページ目、１ページ目の画像が定着されている。用紙の第２面に転写された画像が定着器１５７によって用紙に定着された後、用紙が中継装置２０に搬送される。図４Ａと図４Ｂに示すように、トナー画像が転写された用紙を中折りして無線綴じしたときに、ページの順番が正しく並ぶように用紙の両面に画像を割り付けることを「無線綴じ面付け」と呼ぶ。
【００６７】
図５は、感光体ドラム１５４によって本身と同じサイズの用紙に転写される画像の例を示す説明図である。ここで、本身がプリントされる用紙として指定されるサイズと同じサイズの用紙のことを「本身と同じサイズの用紙」と呼ぶ。
【００６８】
図５Ａに示すように用紙の第１面に感光体ドラム１５４に形成されたトナー画像が転写される。用紙の第１面には、５ページ目の画像が転写されている。用紙の第１面に転写された画像が定着器１５７によって用紙に定着された後、用紙が反転される。
【００６９】
図５Ｂに示すように反転された用紙の第２面に感光体ドラム１５４に形成されたトナー画像が転写される。用紙の第２面には、６ページ目の画像が転写されている。用紙の第２面に転写された画像が定着器１５７によって用紙に定着された後、用紙が中継装置２０に搬送される。図５Ａと図５Ｂに示すように、本身の画像が形成される用紙として指定されたサイズと同じサイズの用紙の両面又は片面に対して、１つの面に１つのページの画像を割り付けることを「単面付け」と呼ぶ。
【００７０】
本実施の形態例において、Ｎ枚の画像（原稿）を１枚の用紙に配置する印刷設定として「Ｎｉｎ１」設定が採用される。例えば、ユーザが文書全体に対して倍率１００％による通常設定を指定した場合には、「１ｉｎ１」設定により１枚の用紙に１枚の画像が配置される。一方、ユーザが文書全体に対して倍率５０％による設定を指定した場合、「２ｉｎ１」設定により１枚の用紙に２枚の画像が配置される。ただし、本実施の形態例における「２ｉｎ１」設定とは、文書全体に対して倍率１００％とした画像が、本身の２倍のサイズの用紙に配置されることである。また、「Ｎｉｎ１」設定は、サイズが異なる画像を用紙に配置する際にも適用される。例えば、「３ｉｎ１」設定は、後述する図１２Ｂに示すくるみ表紙の用紙に適用される設定である。この「３ｉｎ１」設定では、くるみ表紙の用紙は、本身の２倍のサイズに、本身の用紙束の厚みに相当する背表紙幅を加えたサイズの用紙に対して、表（おもて）表紙、裏表紙、背表紙に３つの画像が配置される。
【００７１】
図６は、筋付け方向、ドラム下画像の対応例を示す説明図である。
【００７２】
用紙の第１面に転写されるドラム下画像が、４ページ、１ページの順であり、用紙の第２面に転写されるドラム下画像が、２ページ、３ページの順であるとき、第２筋付け部２３ｂは、用紙に対して左方向（図１の搬送路２２ｂにある用紙の右面）に筋付けを行う。その後、用紙が折り部２５に搬送され、折り部２５が筋に沿って用紙を中折りする。
【００７３】
一方、用紙の第１面に転写されるドラム下画像が、２ページ、３ページの順であり、用紙の第２面に転写されるドラム下画像が、４ページ、１ページの順であるとき、第１筋付け部２３ａは、用紙に対して右方向（図１の搬送路２２ｂにある用紙の左面）に筋付けを行う。折り部２５が筋付け面を中折り外面となるように用紙を中折りするためには、折り前反転部２４による用紙の反転処理が必要となる。
【００７４】
図７は、筋付けされた用紙、中折りされた用紙、くるみ綴じ製本された冊子５０の例を示す説明図である。
【００７５】
図７Ａには、筋付け面を下向きにした用紙の例が示される。図６に示すように筋付け方向が左方向である場合には、筋付け面が第１面であり、筋付け面の裏面が第２面である。この用紙の第１面には筋２３ｃが付けられている。
【００７６】
図７Ｂに示すように、折り部２５は、筋つけ面が中折り外面となるように用紙を中折りする。後述する図１０Ａに示すように、用紙に画像が面付けされている場合には、１〜４ページの画像が形成された１枚目の用紙、９〜１２ページの画像が形成された４枚目の用紙、１３〜１６ページの画像が形成された５枚目の用紙がそれぞれ中折りされる。なお、５、６ページの画像が形成された２枚目の用紙、７、８ページの画像が形成された３枚目の用紙は、用紙サイズが本身と同じサイズであるため、折り部２５による中折りはされない。
【００７７】
図７Ｃには、本身スタック部３２にスタックされた用紙の用紙束５１と、くるみ綴じ製本部３３がくるみ表紙５２により用紙束５１をくるみ綴じ製本した冊子５０の例が示されている。くるみ表紙５２の背表紙領域に塗布された糊５３は、筋付け面が中折り外面となるように中折りされた各用紙の筋２３ｃまで浸み込んでいる。このため、用紙束５１と、くるみ表紙５２の背表紙領域とは強固に接着される。
【００７８】
図８は、画像形成システム１の動作例を示すフローチャートである。
【００７９】
画像形成装置１０がプリントコントローラ１６０からくるみ綴じジョブを受信すると、制御ＣＰＵ１１０は、くるみ綴じ画像リストを作成する（Ｓ１）。このとき、制御ＣＰＵ１１０は、くるみ表紙の背表紙側の面に対応する箇所に筋付け部２３によって筋付けが行われるように、画像を用紙にプリントする順番を決定する。
【００８０】
くるみ綴じ画像リストは、後述する図１０〜図１２に示すように、くるみ綴じ製本された冊子５０の用紙をページ順とするために用紙に面付けする画像の面付けレイアウトを規定したデータである。本実施の形態例において、制御ＣＰＵ１１０がくるみ綴じ画像リストを作成するものとしているが、プリントコントローラ１６０のコントローラ制御ＣＰＵ１６３、又は外部機器６０がくるみ綴じ画像リストを作成してもよい。
【００８１】
ステップＳ１の後、制御ＣＰＵ１１０は、本身の用紙をプリントするか否かを判断する（Ｓ２）。本身の用紙をプリントするのであれば（Ｓ２のＹＥＳ）、筋付け部２３が本身として指定された用紙に対して筋を付ける筋付け機能と、折り部２５が用紙を中折りする中折り機能のいずれもが使用可能であるか否かを判断する（Ｓ３）。筋付け機能と中折り機能が使用可能であるとは、用紙が禁則対象でなく、筋付け機能と中折り機能が使用可能でないとは、用紙が禁則対象であることを意味する。
【００８２】
制御ＣＰＵ１１０は、筋付け機能と中折り機能が使用可能であると判断すれば（Ｓ３のＹＥＳ）、制御ＣＰＵ１１０は、本身の２倍のサイズの用紙を選択し（Ｓ４）、この用紙を給紙トレイ１２又は大容量給紙ユニット４０から給紙する。
【００８３】
そして、画像形成部１５１は、制御ＣＰＵ１１０によって作成されたくるみ綴じ画像リストに従って、給紙された用紙に無線綴じ面付けで本身の画像をプリントする（Ｓ５）。プリンタ制御部１５８によって制御される画像形成部１５１が無線綴じ面付けにより用紙にプリントする処理については、後述する図９にて説明する。ステップＳ５の後、用紙は中継装置２０に搬送され、折り部２５により１枚ずつ中折りされる（Ｓ６）。
【００８４】
一方、制御ＣＰＵ１１０は、ステップＳ３にて筋付け機能又は中折り機能のいずれかが使用不能であると判断した場合（Ｓ３のＮＯ）、本身と同じサイズの用紙を選択し（Ｓ８）、この用紙を給紙トレイ１２又は大容量給紙ユニット４０から給紙する。そして、画像形成部１５１は、制御ＣＰＵ１１０によって作成されたくるみ綴じ画像リストに従って、給紙された用紙に単面付けで本身の画像をプリントする（Ｓ９）。
【００８５】
ステップＳ６にて無線綴じ面付けでプリントされ、中折りされた用紙、又はステップＳ９にて単面付けでプリントされた用紙は、後処理装置３０の本身スタック部３２に搬送され（Ｓ７）、本身スタック部３２に用紙がスタックされる。その後、制御ＣＰＵ１１０は、ステップＳ２に戻り、本身の用紙へのプリントが続く限り、ステップＳ２〜Ｓ７までの処理を繰り返す。
【００８６】
そして、制御ＣＰＵ１１０は、ステップＳ２にて、本身の用紙をプリントするのではないと判断した場合（Ｓ２のＮＯ）、給紙トレイ１２又は大容量給紙ユニット４０から、くるみ表紙５２を給紙し、画像形成部１５１は給紙された用紙に表紙画像をプリントする（Ｓ１０）。その後、くるみ表紙５２に対して、筋付け部２３による筋付けが行われた後、くるみ綴じ製本部３３にてくるみ綴じ製本が行われ（Ｓ１１）、排出部３４から冊子５０が排出される。
【００８７】
図９は、図８のステップＳ５における無線綴じ面付けの処理例を示すフローチャートである。
【００８８】
始めに、プリンタ制御部１５８は、筋付け部２３が本身の用紙に筋付けする筋付け方向が左方向であるか否かを判断する（Ｓ２１）。プリンタ制御部１５８は、例えば、中継処理制御部１７１から筋付け方向の情報を取得することで、筋付け部２３がどの方向から用紙に筋付けするかを判断することができる。そして、プリンタ制御部１５８は、筋付け部２３が筋付けする筋の位置を、くるみ表紙の背表紙側の面に対応する箇所とするように、用紙に画像を形成する順番を入れ替える。ここで、筋付け方向が左方向であれば（Ｓ２１のＹＥＳ）、プリンタ制御部１５８は、第１面にプリントが行われるか否かを判断する（Ｓ２２）。
【００８９】
第１面にプリントが行われるのであれば（Ｓ２２のＹＥＳ）、画像形成部１５１は無線綴じ表面ページ（例えば、図６に示す４、１ページ）の画像を用紙にプリントする（Ｓ２３）。第２面にプリントが行われるのであれば（Ｓ２２のＮＯ）、画像形成部１５１は無線綴じ裏面ページ（例えば、図６に示す２、３ページ）の画像を用紙にプリントする（Ｓ２４）。
【００９０】
ステップＳ２１にて筋付け方向が右方向であれば（Ｓ２１のＮＯ）、プリンタ制御部１５８は、第１面にプリントが行われるか否かを判断する（Ｓ２５）。
【００９１】
第１面にプリントが行われるのであれば（Ｓ２５のＹＥＳ）、画像形成部１５１は無線綴じ裏面ページ（例えば、図６に示す２、３ページ）の画像を用紙にプリントする（Ｓ２６）。第２面にプリントが行われるのであれば（Ｓ２５のＮＯ）、画像形成部１５１は無線綴じ表面ページ（例えば、図６に示す４、１ページ）の画像を用紙にプリントする（Ｓ２７）。
【００９２】
なお、図９に示す判断処理はプリンタ制御部１５８によって行われるが、制御ＣＰＵ１１０が行ってもよい。
【００９３】
図１０〜図１２は、用紙に面付けされる画像の面付けレイアウトの例を示す。以下の説明では、ある用紙の両面に面付けされた画像を用紙にプリントする指定を「両面プリント指定」と呼ぶ。また、ある用紙の片面だけに面付けされた画像を用紙にプリントする指定を「片面プリント指定」と呼ぶ。両面プリント指定及び片面プリント指定は、外部機器６０又はプリントコントローラ１６０によって指定される。
【００９４】
図１０は、通常の用紙と、禁則対象である用紙とに対して面付けされる画像の面付けレイアウトの例を示す説明図である。
【００９５】
図１０Ａには、５〜８ページが禁則対象である場合における面付けレイアウトの例が示される。例えば、特殊用紙（光沢用紙等）には、筋付け部２３が筋を付けることができず、又は折り部２５が中折りすることができない。本実施の形態例では、筋付け部２３が筋を付けることができず、又は折り部２５が中折りすることができない用紙を禁則対象の用紙とも呼ぶ。用紙が禁則対象であるかどうかは、用紙の紙種、用紙の重さ等によって決まる。また、複数ページのうちの一部のページが禁則対象である場合には、禁則対象であるページの画像がプリントされる用紙には、筋付けができず、中折りもできない。そして、制御ＣＰＵ１１０は、冊子５０に禁則対象の用紙を含む場合に、この用紙に画像の単面付けを行うくるみ綴じ画像リストを作成し、画像形成部１５１によって画像が単面付けにより形成された用紙を、筋付け部２３及び折り部２５による処理を行うことなく本身スタック部３２に搬送する。
【００９６】
ここで、図１０Ａに示すように、５〜８ページの画像がプリントされた禁則対象の用紙には筋付け部２３の筋付け、折り部２５の中折りは行われないため、５〜８ページは禁則対象となる。このため、１枚目の用紙には無線綴じ面付けされた１〜４ページの画像がプリントされるが、２枚目の用紙には単面付けされた５、６ページの画像がプリントされ、３枚目の用紙には単面付けされた７、８ページの画像がプリントされる。そして、４枚目の用紙には無線綴じ面付けされた９〜１２ページの画像がプリントされ、５枚目の用紙には無線綴じ面付けされた１３〜１６ページの画像がプリントされる。
【００９７】
図１０Ｂには、５〜９ページが禁則対象である場合における面付けレイアウトの第１例が示される。面付けレイアウトの第１例では、１〜３枚目の用紙に無線綴じ面付け又は単面付けされる画像は図１０Ａに示したものと同じである。ただし、９ページについても禁則対象であるため、４枚目の用紙には単面付けされた９、１０ページの画像がプリントされる。さらに、単面付けされた４枚目の用紙に合わせて、５枚目の用紙には単面付けされた１１、１２ページの画像がプリントされる。そして、６枚目の用紙には無線綴じ面付けされた１３〜１６ページの画像がプリントされる。
【００９８】
図１０Ｃには、５〜９ページが禁則対象である場合における面付けレイアウトの第２例が示される。面付けレイアウトの第２例では、１〜４枚目の用紙に無線綴じ面付け又は単面付けされる画像は図１０Ｂに示したものと同じである。ただし、５枚目の用紙には無線綴じ面付けされた１１〜１４ページの画像がプリントされる。そして、単面付けされた４枚目の用紙に合わせて、６枚目の用紙には単面付けされた１５、１６ページの画像がプリントされる。このように１１〜１４ページの画像が無線綴じ面付けされると、１５、１６ページが端数として残るため、１５、１６ページの画像は単面付けされる。
【００９９】
図１１は、片面プリント指定を含む用紙に面付けされる画像の面付けレイアウトの例を示す説明図である。
【０１００】
図１１Ａには、５、６ページが片面プリント指定された場合における面付けレイアウトの例が示される。１枚目の用紙には無線綴じ面付けされた１〜４ページの画像がプリントされる。しかし、２枚目の用紙には５、６ページの画像の他に、各ページに対応する白画像が無線綴じ面付けされ、プリントされる。そして、３枚目の用紙には無線綴じ面付けされた７〜１０ページの画像がプリントされる。このように５、６ページが片面プリント指定された場合には、折り部２５によって中折りされたときに表裏となるページの画像だけが用紙にプリントされ、ページ数が振られていないページには白画像が付加される。なお、白画像が付加されたページには、画像形成部１５１によってプリントされる画像が何もないが、別途用意した画像を白画像としてもよい。
【０１０１】
図１１Ｂには、５ページの画像だけが片面プリント指定された場合における面付けレイアウトの例が示される。制御ＣＰＵ１１０は、画像形成部１５１が用紙の片面だけに本身の画像を形成する片面プリント指定がされ、次ページにも片面プリント指定がされている場合は、本身の画像に白画像を付加して無線綴じ面付けを行うくるみ綴じ画像リストを作成する。この場合、２枚目の用紙には片面プリント指定され、単面付けされた５ページの画像が第１面にプリントされ、３枚目の用紙には片面プリント指定され、単面付けされた６ページの画像が第１面にプリントされる。そして、４枚目の用紙には無線綴じ面付けされた７〜１０ページの画像がプリントされる。このように図１１Ｂでは５ページの画像だけが片面プリント指定されているが、端数となる６ページの画像についても片面プリントされることとなる。このため、５、６ページの画像は、２枚の用紙の片面（第１面）だけに面付けされる。
【０１０２】
図１１Ｃには、５ページの画像が片面プリント指定され、６、７ページの画像が両面プリント指定された場合における面付けレイアウトの例が示される。制御ＣＰＵ１１０は、画像形成部１５１が用紙の片面だけに本身の画像を形成する片面プリント指定がされ、次ページに画像形成部１５１が用紙の両面に本身の画像を形成する両面プリント指定がされている場合は、本身の画像が形成される用紙として指定されたサイズの用紙を選択し、用紙の両面に本身の画像の単面付けを行うくるみ綴じ画像リストを作成する。この場合、２枚目の用紙には片面プリント指定され、単面付けされた５ページの画像が第１面にプリントされ、３枚目の用紙には両面プリント指定され、用紙の両面に単面付けされた６、７ページの画像がプリントされる。そして、４枚目の用紙には無線綴じ面付けされた８〜１０ページの画像と付加された白画像がプリントされる。
【０１０３】
図１２は、くるみ表紙を含む用紙に面付けされる画像の面付けレイアウトの例を示す説明図である。
【０１０４】
くるみ綴じ製本においては、ＰＩ部２１から挿入されるくるみ表紙だけでなく、給紙トレイ１２又は大容量給紙ユニット４０から給紙される用紙に画像形成部１５１が画像を形成し、この用紙をくるみ表紙として用いることが可能である。制御ＣＰＵ１１０は、画像形成部１５１がくるみ表紙に画像を形成する場合に、くるみ表紙に形成される画像を除いた残りの画像を用紙に無線綴じ面付けを行い、余分のページには白画像を付加して無線綴じ面付けを行うくるみ綴じ画像リストを作成する。
【０１０５】
図１２Ａには、くるみ表紙に「２ｉｎ１」設定で配置される画像が片面プリント指定される場合の面付けレイアウトの例が示される。この例では、１ページを表表紙の画像、１６ページを裏表紙の画像としている。１枚目のくるみ表紙の第１面には、片面プリント指定された１、１６ページの画像がプリントされる。２枚目の用紙には無線綴じ面付けされた２〜５ページの画像がプリントされ、３枚目の用紙には無線綴じ面付けされた６〜９ページの画像がプリントされ、４枚目の用紙には無線綴じ面付けされた１０〜１３ページの画像がプリントされる。そして、５枚目の用紙には第１面に白画像、１４ページの画像が配置され、第２面に１５ページの画像、白画像が配置されるように無線綴じ面付けされ、プリントされる。
【０１０６】
図１２Ｂには、くるみ表紙に「３ｉｎ１」設定で配置される画像が両面プリント指定される場合の面付けレイアウトの例が示される。この例では、１ページを表表紙、１５ページを裏表紙、１６ページを背表紙の画像としている。１枚目のくるみ表紙の第１面には両面プリント指定された１５、１６、１ページの画像が配置され、第２面には表表紙及び裏表紙の見返しである２、１４ページの画像が配置され、プリントされる。２枚目の用紙には無線綴じ面付けされた３〜６ページの画像がプリントされ、３枚目の用紙には無線綴じ面付けされた７〜１０ページの画像がプリントされる。そして、４枚目の用紙には第１面に白画像、１１ページの画像が配置され、第２面に１２、１３ページの画像が配置されるように無線綴じ面付けされ、プリントされる。
【０１０７】
以上説明した一実施の形態例に係る画像形成システム１によれば、無線綴じ面付けされた各ページの画像がプリントされた用紙は、本身の用紙の１枚毎に筋付けされ、筋付け面が外側にくるように中折りされる。そして、中折りされた用紙が本身スタック部３２に収容された後、くるみ綴じ製本部３３によって筋付けされた辺に糊が付けられ、くるみ綴じ製本される。これにより中折りされた本身の用紙に付けられた筋に浸透した糊がくるみ表紙の背表紙領域に強固に接着することで、くるみ表紙から本身の用紙が剥がれ抜けることのない冊子５０を製本することができる。このため、くるみ綴じ製本の品質を向上することができる。
【０１０８】
また、プリンタ制御部１５８は、筋付け部２３が用紙に筋付けする方向に合わせて、用紙の第１面及び第２面にプリントされる画像のプリント順を入れ替える。これにより、筋付けされた用紙の筋付け面が中折り外面となるように用紙が中折りされる。
【０１０９】
また、各ページの画像が無線綴じ面付けされる際に、禁則対象のページの画像は単面付けされる。そして、単面付けされたページに合わせて、他のページの画像についても単面付けされる。このとき、単面付けと無線綴じ面付けとを組み合わせて全てのページの画像が用紙に面付けされる。このため、余計な空白ページを発生させない。
【０１１０】
なお、制御ＣＰＵ１１０は、ＰＩ部２１から挿入された用紙に単面付けされた本身の画像が形成されている場合に、筋付け部２３及び折り部２５による処理を行わせることなく用紙を本身スタック部３２に搬送する。また、制御ＣＰＵ１１０は、ＰＩ部２１から挿入された用紙に無線綴じ面付けされた本身の画像が形成されている場合に、筋付け部２３及び折り部２５による処理を行わせた後、用紙を本身スタック部３２に搬送する。これにより他の画像形成装置によって画像が形成された用紙であっても、くるみ綴じ製本の対象とすることが可能である。
【０１１１】
また、中継装置２０、後処理装置３０は、画像形成装置１０と共にインライン作業が可能であるが、中継装置２０、後処理装置３０をオフライン作業が可能なように配置してもよい。
【０１１２】
また、ＣＭＹＫによるカラー印刷が可能な画像形成装置に本実施の形態例に係る面付け処理を適用してもよい。
【０１１３】
また、筋付け部２３及び折り部２５は、同時に筋付け及び中折りを行う一つの処理部として構成してもよい。
【０１１４】
また、筋付け部２３、折り部２５、本身スタック部３２及びくるみ綴じ製本部３３は、１台の後処理装置３０に構成されてもよい。
【０１１５】
また、本発明は上述した実施の形態例に限られるものではなく、特許請求の範囲に記載した本発明の要旨を逸脱しない限りその他種々の応用例、変形例を取り得ることは勿論である。
例えば、上述した実施の形態例は本発明を分かりやすく説明するために装置及びシステムの構成を詳細且つ具体的に説明したものであり、必ずしも説明した全ての構成を備えるものに限定されるものではない。また、ある実施の形態例の構成の一部を他の実施の形態例の構成に置き換えることは可能であり、さらにはある実施の形態例の構成に他の実施の形態例の構成を加えることも可能である。また、各実施の形態例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１１６】
１…画像形成システム、１０…画像形成装置、２０…中継装置、２１…ＰＩ部、２３…筋付け部、２４…折り前反転部、２５…折り部、２６…搬送前反転部、３０…後処理装置、３２…本身スタック部、３３…くるみ綴じ製本部、３４…排出部、１５０…プリンタ部、１５１…画像形成部
【図１】
0006256435.tif 000002
【図２】
0006256435.tif 000003
【図３】
0006256435.tif 000004
【図４】
0006256435.tif 000005
【図５】
0006256435.tif 000006
【図６】
0006256435.tif 000007
【図７】
0006256435.tif 000008
【図８】
0006256435.tif 000009
【図９】
0006256435.tif 000010
【図１０】
0006256435.tif 000011
【図１１】
0006256435.tif 000012
【図１２】
0006256435.tif 000013